(57)【要約】【課題】  入浴者が比較自由にミストを浴びる身体部位を選択できるとともに、ストレッチ運動を含む運動を温ミスト環境下で好適に行うことができるミストサウナ装置を得る。【解決手段】  湯水の温度を設定して給湯する給湯手段と、給湯手段から供給される前記湯水をミストとして吹き出すユニット側ミスト手段を備えた浴室ユニットとを設け、給湯手段及びユニット側ミスト手段を動作制御する制御手段を設けたミストサウナ装置を構成するに、浴室ユニットに、給湯手段より給湯される湯水を吐出自在な吐出手段を設けるとともに、湯水をミストとして吹き出す椅子側ミスト手段を備えた椅子を設け、吐出手段から前記椅子側ミスト手段に湯水を供給可能とする接続手段を、吐出手段及び椅子側ミスト手段に接続自在に設ける。【選択図】        図２
2006280502.tif 000002
【特許請求の範囲】
【請求項１】
湯水の温度を設定して給湯する給湯手段と、前記給湯手段から供給される前記湯水をミストとして吹き出すユニット側ミスト手段を備えた浴室ユニットとを設け、前記給湯手段及び前記ユニット側ミスト手段を動作制御する制御手段を設けたミストサウナ装置であって、
前記浴室ユニットに、前記給湯手段より給湯される前記湯水を吐出自在な吐出手段を設けるとともに、前記湯水をミストとして吹き出す椅子側ミスト手段を備えた椅子を設け、
前記吐出手段から前記椅子側ミスト手段に湯水を供給可能とする接続手段を、前記吐出手段及び前記椅子側ミスト手段に接続自在に設け、
前記制御手段により前記吐出手段からの前記湯水の吐出を制御可能に構成してあるミストサウナ装置。
【請求項２】
前記椅子側ミスト手段が、ミストの吹き出し方向を変更自在な吹き出し方向可変型ミスト手段である請求項１記載のミストサウナ装置。
【請求項３】
前記椅子に着座した着座姿勢において、使用者の特定の身体部分をストレッチするストレッチ運動を可能とするストレッチ運動補助手段を備えた請求項１又は２記載のミストサウナ装置。
【請求項４】
前記ストレッチ運動補助手段が、椅子近傍に格納された格納状態と、椅子外に引き出されて使用され、使用者がストレッチ運動可能な使用状態との間で姿勢変更自在に構成されている請求項３記載のミストサウナ装置。
【請求項５】
前記ストレッチ運動補助手段が、着座姿勢でつかまり可能なつかまり棒、若しくは着座姿勢で足踏み運動可能なステッパー手段である請求項３又は４記載のミストサウナ装置。
【請求項６】
着座姿勢において、着座者の背中、何れか一方以上の体側部或いは脚部のいずれか一箇所以上に向けてミストと吹き出し可能な前記椅子側ミスト手段を備えた請求項１〜５のいずれか一項記載のミストサウナ装置。
【請求項７】
前記椅子が座面高さを調節する座面高さ調節手段を備えた請求項１〜６のいずれか一項記載のミストサウナ装置。
【請求項８】
前記座面高さ調節手段が、前記吐出手段から吐出される前記湯水により座面高さ調節を行う請求項７記載のミストサウナ装置。
【請求項９】
前記給湯手段としての給湯器を流れる水量を、前記給湯器が給湯加熱運転可能な下限流量以上に維持する流量保証手段を備えた請求項１〜８のいずれか一項記載のミストサウナ装置。
【発明の詳細な説明】
【技術分野】
【０００１】
本発明は、湯水の温度を設定して給湯する給湯手段と、前記給湯手段から供給される前記湯水をミストとして吹き出すユニット側ミスト手段とを備えた浴室ユニットを設け、前記給湯手段及び前記ユニット側ミスト手段を動作制御する制御手段を設けたミストサウナ装置に関する。
【背景技術】
【０００２】
この種のミストサウナ装置は、家庭等の浴室に設置されて使用されるものであり、装置は、ミストノズル等からなるミスト手段（本願にあっては、浴室ユニットに備えられるものをユニット側ミスト手段と称する）と、ミスト手段へ湯水を供給可能な給湯器等からなる給湯手段と、それらミスト手段と給湯手段の作動を制御して温ミスト浴運転を実行可能なコンピュータ等からなる制御手段とを備えて構成される（例えば、特許文献１を参照）。
【０００３】
装置は、ミストの温度が入浴者の発汗を促す４０℃〜５０℃程度の所定温度域に設定された温ミストを浴室に吹き出すことで、浴室を高温多湿な所謂ミストサウナ空間とし、入浴者は温ミストを浴びる所謂温ミスト浴を行うことができる。
【０００４】
ミストサウナ装置には、さらに、浴室に送風する送風手段と、送風手段の送風温度を設定可能な送風温度設定手段とを備え、温ミスト浴運転を行う場合に、比較的高温の温ミスト温度域の温ミストが吹出される浴室に対して、４０℃程度の比較的高温の高温域に設定された温風を吹き出しことで、浴室を一層高温多湿なミストサウナ空間とすることができるものもある。
そして、ミストサウナ装置による温ミスト浴運転により、高温多湿なミストサウナ空間となった浴室において、入浴者が温ミスト浴を行って、美容と健康の増進を図ることができる。
【０００５】
【特許文献１】特開２００１−２７６１７０号公報
【発明の開示】
【発明が解決しようとする課題】
【０００６】
さて、従来型のミストサウナ装置では、浴室ユニットに備えられるミスト手段が働くことにより温ミスト環境を創出できるのであるが、ミスト手段の配置が固定されているため、入浴者がミストを浴びられる部位が限定されていた。例えば、従来構成の場合、入浴者の正面と頭部にミストを浴びることができるのみであった。即ち、入浴者が、体の特定身体部位にミストを浴びたい場合にあっても、その設置位置の制限から、その身体部位が限られるとともに、通常浴びることを予定していない身体部位に浴びたい場合は、無理な姿勢を取る必要が生じる。
この点に関して、所謂、ミスト浴はその加温とともに美肌効果を期待でき、入浴者が自由にミストを浴びる身体部位を選択できるのが好ましいのであるが、従来型の固定吹き出し型のミストサウナ装置では、その選択が実質上出来なかった。
【０００７】
また、浴室内で単に座った姿勢、あるいは着座した姿勢でミストを浴びることも好ましいが、このような着座姿勢で、入浴者の身体がある程度温まった状態で体をほぐすのに、適度なストレッチ運動を行うことが好ましい。しかしながら、この種のストレッチ運動を可能とするミストサウナ装置は、従来なかった。
【０００８】
本発明の目的は、入浴者が比較自由にミストを浴びる身体部位を選択できるとともに、ストレッチ運動を含む運動を温ミスト環境下で好適に行うことができるミストサウナ装置を得ることにある。
【課題を解決するための手段】
【０００９】
上記目的を達成するための、湯水の温度を設定して給湯する給湯手段と、前記給湯手段から供給される前記湯水をミストとして吹き出すユニット側ミスト手段を備えた浴室ユニットとを設け、前記給湯手段及び前記ユニット側ミスト手段を動作制御する制御手段を設けたミストサウナ装置の特徴構成は、
前記浴室ユニットに、前記給湯手段から供給される湯水を吐出自在な吐出手段を設けるとともに、前記湯水をミストとして吹き出し椅子側ミスト手段を備えた椅子を設け、
この吐出手段から前記椅子側ミスト手段に湯水を供給可能とする接続手段を、前記吐出手段及び前記椅子側ミスト手段に接続自在に設け、前記制御手段により前記吐出手段からの前記湯水の吐出を制御可能に構成したことにある。
【００１０】
このミストサウナ装置は、給湯手段、ユニット側ミスト手段を備えることで、それ単独で、浴室内をこれまで通りミスト浴環境とすることができる。
一方、椅子に備えられている椅子側ミスト手段からのミスト浴を受けたい場合は、浴室ユニットに設けられている吐出手段と椅子側に設けられている椅子側ミスト手段とを、接続手段を使用して接続する。この接続状態にあっては、浴室ユニットから椅子側ミスト手段に湯水を供給することができ、椅子近傍で、椅子側ミスト手段から吹き出されるミストを入浴者が浴びることができる。このミスト浴は、椅子に座った着座姿勢でも、椅子近傍に立った姿勢でも可能であるが、椅子と入浴者の体との相対位置関係を適切なものとすることにより、高い自由度で入浴者が望む体部位にミストを浴びることができる。
【００１１】
さらに、椅子の性質上、比較的低く、且つ入浴者の直下に近い位置から吹き出されるミストを浴びることができるため、効果的な温浴・ミスト浴効果を得ることができる。
【００１２】
この構成では、椅子と接続手段とは浴室ユニットに対して独立とできるため、使用時には椅子を浴室のほぼ中央部位に配設してミスト浴を浴び、非使用時には、浴室のコーナ部位に仕舞っておくことで、使い勝手のよいものとできる。
【００１３】
さて、上記構成において、前記椅子側ミスト手段が、ミストの吹き出し方向を変更自在な吹き出し方向可変型ミスト手段であることが好ましい。
このように椅子側ミスト手段の吹き出し方向を変更自在とすることで、入浴者は、ミストを浴びたい身体部位に対応して適切に吹き出し方向を設定することで、入浴者の希望に沿ったミスト浴を実現できる。
【００１４】
これまで説明してきた構成に加えて、椅子に着座した着座姿勢において、使用者の特定の身体部位をストレッチするストレッチ運動が可能なストレッチ運動補助手段を備えることが好ましい。
この構成においては、椅子に備えられたストレッチ運動補助手段を使用することにより、ミスト浴中に、身体のストレッチを効果的に且つ安全に行うことができる。このように、ミスト浴とストレッチを併用すると、身体部分の温熱効果によりストレッチがより効果的なものとなる。さらに、特定のストレッチ運動補助手段を使用することにより、運動中に適切に身体のバランスを保つことが可能になり安全にストレッチ運動を行える。そして、ミスト浴、ストレッチ運動の併用に伴う、ストレッチとその後の弛緩により、リラックスした状態で疲労回復を図ることができる。
【００１５】
以上説明してきた構成において、前記ストレッチ運動補助手段が、椅子近傍に格納された格納状態と、椅子外に引き出されて、使用者がストレッチ運動可能な使用状態との間で姿勢変更自在に構成されていることが好ましい。
この構成では、ストレッチ運動を行う場合にストレッチ運動補助手段を使用状態とし、運動をしない場合、或は、椅子自体を使用しない場合に、ストレッチ運動補助手段を格納状態とする。
従って、使用状態にあっては、ストレッチ運動において必要となる占有空間を占有した状態の姿勢を確保し、収納状態にあっては、その占有空間を小さくできる。
結果、非使用時に例えば、ストレッチ運動補助手段を椅子近傍に収納して、コーナ部位に置いておくことで、洗い場の省スペースを図ることができる。
【００１６】
さて、ストレッチ運動補助手段としては、着座姿勢でつかまり可能なつかまり棒、若しくは着座姿勢で足踏み運動可能なステッパー手段とすることができる。
つかまり棒を備えておくことで、入浴者がつかまり棒をつかみストレッチ運動を行え、例えば、背筋、腕、腰等のストレッチを行える。一方、ステッパー手段に関しては、ステッパー手段に設けられている踏み板を踏み込み等することにより脚部あるいはアキレス腱のストレッチを行える。
本願の場合、椅子にこれらが設けられていることから、着座姿勢でストレッチを行えるが、任意の立ち姿勢で行ってもよい。
【００１７】
椅子側ミスト手段がミストを吹き出す身体特定部位に関しては、さらに具体的には、着座者の着座姿勢において、着座者の背中、何れか一方以上の体側部或いは脚部のいずれか一箇所以上に向けてミストと吹き出し可能に構成されていることが好ましい。
この構成を採用しておくと、浴室ユニットから通常ミストが吹き出される身体の前面や頭部だけでなく、身体の後面である背中、体側部、脚部であるふくらはぎの身体各部位へミストを吹き出し可能となり、これら部位におけるミストによる温浴効果、ストレッチを伴った弛緩、リラックス効果を得ることが可能となる。
【００１８】
これまで説明してきた構成において、前記椅子が座面高さ調節手段を有することが、好ましい。
このように調節手段を備えることで、子供や女性、背の高い人などの体格の違いにあっても、好みのミスト浴の高さや、ストレッチしやすい高さに調節することができる。
【００１９】
さらに、前記座面高さ調節手段が、前記吐出手段から吐出される湯水により座面高さ調節を行う構成とすることが好ましい。
この構成にあっては、本来、駆動源を有しない浴室内にあって、吐出手段から供給される所定圧力を有する湯水により、座面高さをミスト浴・ストレッチ前に調整することが可能となり、使い勝手がよい。さらに、実際に椅子に座りながらも高さ調整できるので、高さを入浴者の体格に合致したものとできる。また、電気を一切使用しないので、安心・安全である。
【００２０】
さて、前記給湯手段としての給湯器を流れる湯水量を、前記給湯器が給湯加熱運転可能な下限流量以上に維持する流量保証手段を備えることが好ましい。
本願に係るミストサウナ装置では、浴室ユニット側に設けられるユニット側ミスト手段と、椅子側に設けられる椅子側ミスト手段により湯水が吹き出される。この使用形態は、基本的に、両方で使用してもよいし、何れか一方でもよいのだが、使用される湯水の量が所定の値を下回る場合は、給湯器側の制限からその加熱機構が停止し、加熱を停止する場合がある。このような状況になると、加熱されていない水がそのまま吹き出されることとなり、好ましくない。
従って、ミストサウナ側で何らかの形態で湯水の需要が見込まれる状態にあっては、流量保証手段が働き、給湯器内を流れる流量を給湯器が給湯加熱運転可能な下限流量以上に維持する。このようにすることにより、本願のミストサウナ装置では、浴室ユニットと椅子側ミスト手段を備えた椅子との間で、ミスト需要の変動が起こり、湯水需要が低下している場合にも、冷水の吹き出しを防止できる。
【発明を実施するための最良の形態】
【００２１】
図１は、本願に係るミストサウナ装置５０が設置される浴室１の状態（イ）及びそのミストサウナ装置５０の側壁ユニット２０ａの外観（ロ）を示している。
図１に示すように、浴室１には浴槽６及び洗い場７があり、浴槽６に湯を張り、洗い場７において体を洗うことができる。浴室１の側壁の上方には浴室１の換気を行う換気扇４が備えられており、換気扇４は後述するミストサウナ装置５０に備えられたコンピュータからなる制御装置４０（制御手段の一例）によって制御される。
【００２２】
浴室１の側壁には、ミストサウナ装置５０の制御装置４０と接続されるリモコン５が備えられており、このリモコン５を操作することで制御装置４０に運転指示を与えることができる。このリモコン５には、入浴者６０が認識可能な状態で装置の運転に関する情報を表示する表示部５ａが設けられている。
【００２３】
図２に示すように、ミストサウナ装置５０は、上記構成の浴室１に固定配置された浴室ユニット２０と、この浴室ユニット２０に接続して使用される椅子ユニット２５とを備えて構成されている。
さらに詳細には、前記浴室ユニット２０は、浴室１の内側の側壁下方部（例えば、浴室１の高さの２分の１程度下方部で具体的には洗い場カウンタの袖部）に設置される側壁ユニット２０ａと天井側に配設される天井ユニット２０ｂとから構成されている。前記椅子ユニット２５は、同図に示されるように、使用時に、洗い場７のほぼ中央部位に側壁ユニット２０ａに対向して配設されて使用される。さらに、同図に示すように、装置５０には、給水を加熱して所定温度の湯水を浴槽６や給湯栓（図示省略）の他、上記浴室ユニット２０に供給可能な給湯器３０が設けられている。
【００２４】
〔浴室ユニット２０〕
側壁ユニット２０ａ及び天井ユニット２０ｂにはそれぞれ、浴室１にミストを吹き出すユニット側ミスト手段Ｍ１として、給湯器３０から供給された湯水を浴室１内に向けミストとして吹き出すミストノズル１０が設けられている。前記側壁ユニット２０ａからは入浴者６０が着座姿勢にある状態で、入浴者６０の脚部６０ａ及びその上側に向けてミストを吹き出し可能に設置されており、天井ユニット２０ｂからは浴室の天井２から下方に向けて入浴者６０の頭部に向けてミストが吹出されるように配設されている。
図２に示すように、浴室ユニット２０に備えられる各ミストノズル１０は、ミストを適切に入浴者６０に向けて吹き出すために、側壁ユニット２０ａに関してはミストの吹出し方向を上下方向で、天井ユニット２０ｂに関しては、図２において、その左右方向に変更可能に構成されている。
【００２５】
前記給湯器３０は、各ミストノズル１０に対して所定温度に設定された湯水を供給可能に構成され、給湯器３０において各ミストノズル１０に供給される湯水の温度を調整することで、各ミストノズル１０から吹出されるミストの温度を任意に設定することができる。この給湯器３０が、ミスト手段Ｍ１に湯水を供給する給湯手段Ｆ１として働く。
【００２６】
給湯器３０から各ミストノズル１０に至る経路には、給湯器３０から供給される湯水の量を調整可能な調整弁１１を備え、この調整弁１１の開度調整により、下手側に供給される湯水の量を設定可能に構成されている。
【００２７】
図２に示すように、前記側壁ユニット２０ａには、浴室１に風を吹き出す送風手段Ｗ１として、温風を吹き出す吹出口１２と浴室１の空気を吸込む吸込口１３と、吸込口１３から吸込んだ空気を吹出口１２より吹き出すためのファン１６が設けられている。吹出口１２は、複数枚並設されたルーバーにより、風の吹出し方向を上下方向に変更可能に構成されている。
【００２８】
さらに、吸込口１３から吹出口１２に送られる空気を加熱する熱交換器１７が設けられており、更に、給湯器３０が、熱交換器１７に対して所定温度に設定された湯水を循環可能に構成されている。この構成において、熱交換器１７において湯水と空気の熱交換を行って空気を加熱すると共に、給湯器３０によりその湯水の温度を調整することで、吹出口１２から吹出される風の温度を任意に設定することができる。
【００２９】
〔椅子ユニット２５〕
以上が、本願に係るミストサウナ装置５０の概略構成と浴室ユニット２０の構成であるが、以下、椅子ユニット２５とその付属機器に関して説明する。
【００３０】
この椅子ユニット２５は、これまで説明してきた浴室ユニット２０とは独立したポータブルタイプのものであり非使用時に、浴室ユニット２０との接続を解き、洗い場７のコーナに置いておくものである。浴室ユニット２０と椅子ユニット２５との接続用に、接続手段Ｃ１としての接続ホース２１が備えられている。
【００３１】
この椅子ユニット２５は、図２に示すように、ユニット本体としての椅子２６に、椅子側ミスト手段Ｍ２を成すミストノズル１０ａ，１０ｂ，１０ｃと、ストレッチ運動補助手段Ｈ１としてのつかまり棒７０、ステッパー８０を備えて構成されている。
図２に示すように、前記椅子２６には、前記接続ホース２１が接続された状態で給湯器３０から供給される湯水を受け入れための接続プラグ２６ａが備えられている。一方、浴室ユニット２０側には、前記調整弁１１と浴室ユニット２０に設けられる夫々のミストノズル１０との間にヘッダー９が設けられるとともに、このヘッダー９に椅子ユニット２５に湯水を送るため、前記接続ホース２１が接続されるプラグ９ａが設けられている。接続ホース２１の両端には、浴室ユニット側のプラグ９ａと、椅子ユニット側のプラグ２６ａとを接続するソケット２１ａが備えられている。本願にあっては、浴室ユニット２０側に備えられ、前記プラグ９ａに給湯器３０から供給される湯水を導く配管系統を吐出手段Ｄ１と称する。
【００３２】
図２、３に示すように、椅子ユニット２５には、前記接続ホース２１との接続を確保するためのプラグ２６ａと、このプラグ２６ａに導入される湯水をミストノズル１０ａ，１０ｂ，１０ｃに導くための分配配管２６ｂと、この分配配管２６ｂから湯水の供給を受けて、湯水をミストとして吹き出すミストノズル１０ａ，１０ｂ，１０ｃが備えられている。即ち、椅子ユニット２５には、湯水をミストとして吹き出す椅子側ミスト手段Ｍ２が備えられている。
【００３３】
図２、図３に示す例では、前記ミストノズル１０は椅子２６の周りに４個設けられており、夫々、入浴者６０の着座姿勢において、着座者の背中６０ｃ、左右体側部６０ｄ及び脚部６０ａに向けて、椅子２６の側壁からミストと吹き出し可能な位置関係を有している。
同図にあっては、背中用のミストノズル１０ａは椅子後部から鉛直方向上側に向けて、体側部用のミストノズル１０ｂは椅子側部から鉛直方向上側に向けて、さらに、脚部用のミストノズル１０ｃは椅子前部から斜め前方向に向けてミストを吹き出している状況を示している。図２には、ミストの吹き出し方向が固定された状態で示されているが、椅子ユニット２５に備えられるミストノズル１０ａ，１０ｂ，１０ｃは、そのミストの吹き出し方向を自由に設定可能な吹き出し方向可変型ミストノズルとされている。例えば、ノズル１０の椅子に植設方向を図２における左右方向とした場合、背中用のミストノズル１０ａは、水平方向である同図左右方向に対して、上下方向から傾いた任意方向にミストを吹き出し可能とされている。体側部に対するもの１０ｂ、脚部に対するもの１０ｃも、吹き出し方向が可変である点で同様である。
【００３４】
さらに、図２、３に示すように、椅子ユニット２５には、入浴者６０が少なくとも着座姿勢でつかまり可能なつかまり棒７０が備えられるとともに、同じく着座姿勢で入浴者６０が足踏み運動可能なステッパー８０が備えられている。これらつかまり棒７０、ステッパー８０は本願にいうストレッチ運動補助手段Ｈ１を成している。
【００３５】
前記つかまり棒７０は、図３に示す様に、椅子から、上下方向にテレスコープ様に伸縮自在な左右一対の支持棒７０ａと、その先端に設けられ、座面２５ａと平行に延びるつかまり棒本体７０ｂとを備えて構成されている。このつかまり棒７０は、図２、図３（イ）に示すように、その伸長状態において、入浴者６０が、着座姿勢でつかまり棒本体７０ｂを両手でつかみ、ストレッチ運動可能である。一方、図４に示す収納状態にあっては、支持棒７０ａが縮退した状態で、椅子後ろ方向に折れ曲がり収納され、つかまり棒本体７０ｂの上辺が椅子２６のほぼ座面２５ａに位置できるように構成されている。
【００３６】
前記ステッパー８０は、図２、４、５に示すように、概略、Ｌ字状に形成されるステッパー基台８０ａと、入浴者６０が足を乗せて足踏み運動をするための足踏み板８０ｂと、足踏み板８０ｂとステッパー基台８０ａとの間に設けられたバネ８０ｃとから構成されている。この構成のステッパー８０にあっては、踏み込み操作に伴う脚部６０ａの伸縮運動、足踏み板８０ｂの所定支点８０ｂａ周りの揺動運動に伴うアキレス腱部６０ｅの伸縮運動、更には、単なる上下ステッピング動作等を行うことができる。図５の（イ）（ロ）（ハ）に、それぞれ、脚部６０ａの伸縮、アキレス腱６０ｅの伸縮、上下ステッピング動作の状況を示した。
【００３７】
再度、図４に戻って、このステッパー８０も、椅子２６に収納自在に構成されている。図３に示す使用状態に対して、図４（ロ）は、ステッパー８０の収納状態を示しており、ステッパー基台８０ａの椅子２６との接続部位に設けられるヒンジ回りに、ステッパー８０を揺動させて、椅子２６内に収納することにより、その収納状態とすることができる。
【００３８】
ミストサウナ装置５０に備えられる制御装置４０は、前記給湯器の運転を動作制御するとともに、浴室ユニット２０に備えられ、本願におけるミスト手段Ｍ１をミストサウナ装置５０の全体の運転状態を制御するように構成されている。
即ち、この制御装置４０は、主には給湯器３０及び調整弁１１の動作制御を行なうように構成されている。さらに、ヘッダー９において、側壁ユニット２０ａ、天井ユニット２０ｂ、椅子ユニット２５への湯水の供給・供給停止をリモコン５からの動作指令に従って制御するようにされている。
従って、この装置４０の主な制御対象は、前記給湯器３０への、その動作・動作停止の制御と、供給される湯水の温度設定であり、さらに吐出手段を構成する前記ヘッダー９における各ユニット２０ａ，２０ｂ，２０ｃへの湯水の分配、分配停止も同様に制御対象とされている。
【００３９】
さて、給湯器３０が動作し、所定の分配状態が確立されている状態において、前記調整弁１１の開閉状態を所定のシーケンスに基づいて設定するように構成されている。即ち、ユニット数の多寡に応じて供給される湯水量を調整するのであるが、この調整量には一定の下限が設けられている。即ち、ユニット２０ａ，２０ｂ，２０ｃ側へ送られる湯水量が過度に低下した場合、給湯器３０における燃焼が起こされず、冷水がそのまま吹き出される可能性がある。そこで、本願に係るミストサウナ装置５０では、制御装置４０に給湯器３０を流れる湯水量を、給湯器３０が給湯加熱運転可能な下限流量以上に維持する流量保証手段ＦＬが備えられている。この流量保障手段ＦＬを働かせて、給湯器３０で発生される湯水量を一定量以上に確保し、何れかのユニット２０ａ，２０ｂ，２０ｃから最低量の湯水をミストとして吹き出すことで、冷水がそのまま浴室内に吹き出されることはない。
【００４０】
〔温ミスト浴運転〕
制御装置４０は、温ミスト浴運転において、入浴者６０の発汗を促す所定の温ミスト温度域に設定された温ミストをミスト手段Ｍ１、Ｍ２により吹出させる。具体的には、温ミスト浴運転において、給湯器３０からミストノズル１０、１０ａ、１０ｂ、１０ｃに供給する湯水の温度が比較的高温に設定されて、ミストノズル１０から４０℃〜５０℃程度の比較的高い温ミスト温度域の温ミストが吹出される。
【００４１】
更には、制御装置４０は、温ミスト浴運転において、所定の温風温度域に設定した温風を送風手段Ｗ１により吹出させるように構成されている。具体的には、上記温ミスト浴運転において、給湯器３０と熱交換器１７とを循環する湯水の温度が比較的高温に設定されて、吹出口１２から４０℃〜５０℃程度の比較的高い温風温度域の温風が吹出されることになる。
【００４２】
そして、上記のように制御装置４０により温ミスト浴運転を行うと、浴室１では、吹出された比較的高温の温ミストが蒸発し、更に、吹出された比較的高温の温風により、浴室１が高温多湿なミストサウナ空間となり、その浴室１に居る入浴者６０は上記比較的高温の温ミストを浴びる所謂温ミスト浴を行い、美容と健康の増進を図ることができる。
【００４３】
尚、制御装置４０は、上記温ミスト浴運転を、浴室１に居る入浴者６０によりリモコン５に設けられた「温ミスト浴運転開始」ボタンが押されたときに開始するように構成する。更に、制御装置４０は、温ミスト浴運転を行った経過時間が予め設定された設定時間に達した時点、又は、リモコン５に設けられた「温ミスト浴運転終了」ボタンが押されたときに、温ミスト浴運転を終了するように構成する。
この時、ミスト浴に使用したいユニット２０ａ，２０ｂ，２０ｃを選択することにより、そのユニットにヘッダー９を経て所定量以上の湯水を供給できる。
【００４４】
以上の構成により、本願に係るミストサウナ装置５０を使用することで、椅子ユニット２５側から従来、ミスト浴を直接受けることが難しかった入浴者６０の身体部位６０ａ，６０ｂ，６０ｃにミストを受けながら、ストレッチ運動を行うことができる。
【００４５】
〔別実施形態〕
本願の別実施形態に関して説明する。
（１）上記実施の形態では、側壁ユニット２０ａを浴室１の側壁下方に設置したが、別に、側壁ユニット２０ａの一部又は全部を浴室１の側壁上方等の任意位置に設置しても構わない。
【００４６】
（２）上記の実施の形態にあっては、浴室ユニット２０に、側室ユニット２０ａと天井ユニット２０ｂとを設け、これら両ユニット２０ａ，２０ｂからミストを吹き出すものとしたが、天井ユニット２０ｂを設けないものであってもよい。
【００４７】
（３）上記の実施の形態にあっては、椅子の座面に関しては、椅子底から座面までの高さが固定されている例を示したが、椅子ユニットを使用する入浴者が、大人男性、大人女性、子供と変わる可能性を考えれば、椅子の座面が、例えばつかまり棒に対して調節可能とされてることが好ましい。そこで、椅子の座面高さを浴室ユニット側から供給される湯水の有する圧力により調整可能に椅子を構成しておいてもよい。
図６に、このような構成の椅子ユニット２５０の所要部を示した。
図示する例にあっては、椅子の座面２５ａが伸縮性樹脂膜６１で被覆される構成が採用されて、その内側に、椅子２６に対して上下方向に移動自在な座面決定部材６２が設けられている。この座面決定部材６２は、下部位置に設けられる流体圧モータＭからその上下方向移動力を得て、例えば入浴者６０である子供が着座している状態にあっても、座面の上下方向位置を移動・位置決めできるように構成されている。
【００４８】
この流体圧モータＭへの駆動源としての湯水の取り込み構成に関して述べると、図７に示すように、椅子２６に設けられるプラグ６３からの湯水は、第一切換え弁６４で、ミストノズル１０へ向かうノズル側分配路６５ａと、座面の設定のための第二切換え弁６６へ向かう座面設定路６５ｂとに切換え自在に構成されるとともに、座面設定路６５ｂに設けられる第二切換え弁６６で、前記座面決定部材６２の上下方向移動方向を、流体圧モータＭへの湯水の供給方向に従って設定可能に構成されている。
【００４９】
これら流体圧モータＭは、図８、９に示すように、内部に圧力流体の圧力流体路としてのチューブ１０１、１０２を備え、中を特定方向に圧力流体を流すことにより、その回転方向が決定できる構成のものである。
【００５０】
図８、９は、流体圧モータＭの構成説明図である。この流体圧モータＭは内接ピンチローラ型であり、ドラム１００の内周面の対向するほぼ半周に沿って２本のチューブ１０１，１０２が配設される。ドラム１００には直径上で対向する位置に開口部１００ａ，１００ｂが形成される。一方の開口部１００ａからチューブ１０１の水入口１０１ａおよびチューブ１０２の水出口１０２ｂが挿通し、他方の開口部１００ｂからチューブ１０１の水出口１０１ｂおよびチューブ１０２の水入口１０２ａが挿通する。圧力流体はチューブ１０１，１０２内をドラム内周に沿って円周方向に関し同一方向（同一回転方向）に流れる。
【００５１】
これらのチューブ１０１，１０２に圧接して３個のピンチローラ１０３が１２０°の等間隔で回転ブラケット１０４にベアリング（図示しない）を介して軸支される。回転ブラケット１０４は、ドラム１００と同軸の回転軸１０５に固定されハウジング１０６にベアリング１０７を介して支持される。この回転軸１０５に減速機構２４０を介して出力軸２２０が連結される。
【００５２】
このような構成において、２本のチューブ１０１，１０２に圧力流体を矢印Ａのように流すことにより、各チューブに圧接してこれを押し潰しているピンチローラ１０３を、流れ方向（矢印Ｖ１方向）に押圧し、これを自転させながら回転軸１０５廻りに矢印Ｖ２方向に公転させて駆動力を得る。
【００５３】
３個のピンチローラ１０３を等間隔で配置することにより、いずれか１個のピンチローラがドラム１００の開口部１００ａまたは１００ｂの位置にきて押圧力がフリーになった場合に、他の２個のピンチローラが必ず両方のチューブ１０１，１０２のそれぞれに圧接した状態となってトルクを発生させるため、デッドポイント（ピンチローラがドラム開口部の位置でチューブからフリーとなってトルクを発生しない状態となる特異点）がなくなる。
【００５４】
減速機構２４０は、この例では遊星歯車機構からなり、回転軸１０５と一体的に回転するサンギヤ１８０と、リングギヤ１９０と、例えば３個の遊星ギヤ２００と、各遊星ギヤ２００を連結する出力板２１０とにより構成され、出力板２１０の中心に出力軸２２０が設けられる。出力軸２２０は、ベアリング２３０を介してハウジング１０６に軸支される。
【００５５】
このような減速機構２４０を用いることにより、減速比に応じてトルクを高めることができ、高速低トルクのモータから駆動に適した低速高トルクのモータに変換することができる。
従って、この構成にあっては、第一切換え弁６４の切換え操作により、座面の高さ位置設定動作とミスト吹き出し動作との択一的選択が可能であるとともに、第二切換え弁６６の切換え操作により、座面の上下位置設定を行うことができる。
【産業上の利用可能性】
【００５６】
本発明は、浴室に設置され、浴室で運動を行う入浴者に対して、身体への負担を軽減しながら浴室における快適な運動を提供することができるミストサウナ装置として利用される。
【図面の簡単な説明】
【００５７】
【図１】浴室におけるミストサウナ装置の配置構成の概略を示す図
【図２】本願に係るミストサウナ装置の作動状態を示す図
【図３】椅子及びストレッチ運動補助手段の取り付け構成を示す図
【図４】つかまり棒の収納構成を示す図
【図５】ステッパーを使用したストレッチ運動の運動形態の説明図
【図６】座面調整が可能な別実施の形態を示す図
【図７】座面調整可能な椅子に対する湯水の供給構成を示す図
【図８】流体圧モータの内部構成を示す図
【図９】流体圧モータの内部構成を示す図
【符号の説明】
【００５８】
１：浴室
４０：制御装置（制御手段）
５０：ミストサウナ装置
６０：入浴者
Ｍ１：ユニット側ミスト手段
Ｍ２：椅子側ミスト手段
【図１】
2006280502.tif 000003
【図２】
2006280502.tif 000004
【図３】
2006280502.tif 000005
【図４】
2006280502.tif 000006
【図５】
2006280502.tif 000007
【図６】
2006280502.tif 000008
【図７】
2006280502.tif 000009
【図８】
2006280502.tif 000010
【図９】
2006280502.tif 000011